(57)【要約】【課題】初期開口時の指掛かり性の向上、指への圧力、圧迫感の軽減、ならびに指掛け部への指先案内性の付与により、開口操作を容易にし、加えて不意開口の防止を図った缶蓋開口用のタブ及び缶蓋を提供する。【解決手段】固定部を介してタブ本体が缶蓋本体に固定され、タブ本体のタブ先端部がスコア近傍に配置され、固定部に対してタブ先端部と反対側の端部に初期開口時に指を掛ける第１指掛かり部２０が設けられている缶蓋開口用のタブにおいて、第１指掛かり部２０の形状は、缶蓋本体２に対してタブ本体１１側から直交方向に見た平面視においては、固定部７に向かって凹状に湾曲する湾曲形状となっており、缶蓋本体２のパネル面３１，３２と平行方向であって第１指掛かり部２０の中央部２０ａと固定部７が重なる方向から見た側面視において、前記パネル面３２との間隔が、中央部２０ａが両端部２０ｂ，２０ｂよりも大きくなるように凸状に湾曲する構成とする。【選択図】図２
2020142849.tif 000002
【特許請求の範囲】
【請求項１】
固定部を介してタブ本体が缶蓋本体のパネルに固定され、前記タブ本体のタブ先端部がスコア近傍に配置され、前記固定部に対してタブ先端部と反対側の端部に初期開口時に指を掛ける第１指掛かり部が設けられている缶蓋開口用のタブにおいて、
前記第１指掛かり部の形状は、前記缶蓋本体に対して前記タブ本体側から直交方向に見た平面視においては、前記固定部に向かって凹状に湾曲する湾曲形状となっていることを特徴とする缶蓋開口用のタブ。
【請求項２】
前記第１指掛かり部は、前記缶蓋本体のパネルと平行方向であって前記第１指掛かり部の中央部と前記固定部が重なる方向から見た側面視において、前記パネル面との間隔が、前記中央部が両端部よりも大きくなるように凸状に湾曲していることを特徴とする請求項１に記載の缶蓋開口用のタブ。
【請求項３】
前記第１指掛かり部は、前記側面視においてアーチ形状に湾曲する構成で、前記平面視において、両端部を結ぶ線に対して中央部が前記固定部側に入り込んだ位置となるように傾斜する傾斜アーチ形状となっている請求項２に記載の缶蓋開口用のタブ。
【請求項４】
前記第１指掛かり部の前記缶蓋本体のパネルとの対向面が、第１指掛かり部から前記固定部に向けて、前記対向面と前記パネル面との隙間が徐々に狭くなる方向に傾斜する傾斜面となっている請求項１乃至３のいずれか１項に記載の缶蓋開口用のタブ。
【請求項５】
第１指掛かり部の前記パネルとの対向面は、前記パネルとの傾斜角度が、前記第１指掛かり部の両端部から前記中央部に向けて徐々に大きくなり、前記中央部において最大となるように傾斜する傾斜面となっている請求項４に記載の缶蓋開口用のタブ。
【請求項６】
開口時に前記パネルの除去片と共に前記タブが除去される易開封性の缶蓋開口用のタブであり、前記タブ本体には、前記固定部と前記第１指掛かかり部の間に指が挿入可能な指掛け穴が設けられ、前記指掛け穴の前記第１指掛かり部に対して固定部側の縁部が第２指掛かり部となっている請求項１乃至５のいずれか１項に記載の缶蓋開口用のタブ。
【請求項７】
請求項１乃至６のいずれか１項の缶蓋開口用のタブと、該タブが固定された缶蓋本体と、を備えた缶蓋。
【発明の詳細な説明】
【技術分野】
【０００１】
本発明は、指掛かり性の向上及び不意開口の防止を図った缶蓋開口用のタブ及び缶蓋に関する。
【背景技術】
【０００２】
従来の缶蓋開口用のタブとしては、たとえば、特許文献１に記載のようなものが知られている。すなわち、タブはリベット（固定部）を介して缶蓋のパネルに固定され、タブノーズ（タブ先端部）がスコア近傍に配置され、リベットに対してタブノーズと反対側の端部にスコアの初期開口時に指を掛ける指掛け部（第１指掛かり部）が設けられている。
缶蓋を開口する際には、タブの指掛け部に指を掛け、リベットを支点として上方に引き起こすことにより、タブノーズでスコアを初期開口し、初期開口した後、タブのリング部内周縁（第２指掛かり部）に指を掛け、上方に引っ張ることによって、スコアを初期開口部から連続的にせん断し、スコアに囲まれた部分を除去して缶蓋を開口するようになっている。
また、缶蓋のパネルには、指掛け部に近接する一対のディンプルと、この一対のディンプルの間に設けられた凹部が設けられている。凹部を設けることにより、指掛け部とパネルとの隙間を大きくして指掛け部に指先が掛かりやすくし、さらにディンプルを設けることによって、缶蓋を積み重ねた際に、上位の缶蓋が指掛け部に引っ掛からないように、あるいは缶蓋を装着した缶を積み重ねた際に、上位の缶の缶底が指掛け部に引っ掛からないようにして、缶蓋が不意開口することを防止するようになっていた。
【先行技術文献】
【特許文献】
【０００３】
【特許文献１】特開２０１７−３０８４９号公報
【特許文献２】特許第５７４１１９８号公報
【発明の概要】
【発明が解決しようとする課題】
【０００４】
しかしながら、特許文献１の缶蓋は、指掛け部がリベットとは反対方向、すなわち後方に向かって凸状に湾曲しているために、指の接触面積が狭く、初期開口時に、指の狭い範囲に力が集中し、指先への圧力、圧迫感が大きくなって、指の痛みを伴う作業となっていた。
また、特許文献２には、直線的に延びる指掛かり部（第１指掛かり部）が開示されているが、特許文献１よりも指の接触領域が広がるものの、やはり、指先への圧力、圧迫感が大きい。
本発明の目的は、初期開口時の指掛かり性の向上、指への圧力、圧迫感の軽減、ならびに指掛け部への指先案内性の付与により、開口操作を容易にし、加えて不意開口の防止を図った缶蓋開口用のタブ及び缶蓋を提供することにある。
【課題を解決するための手段】
【０００５】
上記目的を達成するために、本発明は、
固定部を介してタブ本体が缶蓋本体のパネルに固定され、前記タブ本体のタブ先端部がスコア近傍に配置され、前記固定部に対してタブ先端部と反対側の端部に初期開口時に指を掛ける第１指掛かり部が設けられている缶蓋開口用のタブにおいて、
前記第１指掛かり部の形状は、前記パネルに対して前記タブ本体側から直交方向に見た平面視においては、前記固定部に向かって凹状に湾曲する湾曲形状となっていることを特徴とする。
第１指掛かり部は、固定部に向かって凹状に湾曲し、指先に沿う形状となっているので、指を掛けた場合に、指掛かり性がよく、また、指先形状に沿って接触して接触面積が増大し、指先への圧力、圧迫感が軽減し、さらに指先が自然と湾曲に沿って案内されるので開口操作が楽にできる。また、缶蓋を積み重ねた際や、缶蓋を装着した缶を積み重ねた際に、上位の缶蓋や上位の缶の缶底が第１指掛かり部に引っ掛かりにくく、不意開口も防止できる。
【０００６】
また、本発明は、次のように構成することができる。
１．前記第１指掛かり部は、前記缶蓋本体のパネルと平行方向であって前記第１指掛かり部の中央部と前記固定部の重なる方向から見た側面視において、前記パネルとの間隔が、前記中央部が両端部よりも大きくなるように凸状に湾曲する構成とする。
第１指掛かり部は、中央部が前記パネルからの距離が大きくなるように凸状に湾曲しているので、固定部に向かって凹状に湾曲していることと相俟って、指先が入りやすく、開口操作が容易である。
また、第１指掛かり部は固定部に向かって凹状に湾曲しているので、缶を上下に積み上げた場合、あるいは缶蓋を上下に積み上げた場合に、上位の缶の缶底の縁や、上位の缶蓋の縁が第１指掛かり部に当たっても、缶蓋本体のパネルとの隙間が最も大きくなる中央部は、パネルとの隙間が最も大きく缶底や缶蓋の縁が引っかかりやすい中央部は固定部に向かって凹状に湾曲しているので缶底や缶蓋の縁からは遠い位置となるため、引っ掛かりにくく、不意開口を防止することができる。
２．前記第１指掛かり部は、前記側面視においてアーチ形状に湾曲する構成で、前記平面視において、両端部を結ぶ線に対して中央部が前記固定部側に入り込んだ位置となるように傾斜する傾斜アーチ形状となっている。
傾斜アーチ形状とすることにより、第１指掛かり部に指先形状がより一層に当接しやくなり、持ち上げる際に指先への圧力、圧迫感をより低減することができ、開口操作が一層容易となる。
３．前記第１指掛かり部の前記パネルとの対向面が、第１指掛かり部から前記固定部に向けて、前記対向面と前記パネルとの隙間が徐々に狭くなる方向に傾斜する傾斜面となっている。
パネルとの対向面が傾斜面となっているので、対向面に指先の腹面を当てることができ、初期開口時のタブの持ち上げが、容易、確実、かつ、楽に行うことができ、開口性が向上する。
４．第１指掛かり部の前記パネルとの対向面は、前記パネルとの傾斜角度が、第１指掛かり部の端部から中央部に向けて徐々に大きくなり、中央部で最大となるような湾曲した傾斜面となっている。
パネルとの対向面が中央部の傾斜角度が最大となるように構成されるので、中央部に指先を誘導することができ、引き起こし方向を、自然とタブ先端部に向かうように誘導することができる。
５．前記パネルの除去片と共にタブが除去される易開封性の缶蓋開口用のタブであり、前記タブ本体には、前記固定部と前記第１指掛かり部の間に指が挿入可能な指掛け穴が設けられ、前記指掛け穴の前記第１指掛かり部に対して反対側の縁部が第２指掛かり部となっている。
このような易開封性の缶蓋開口用のタブは、初期開口時に大きな力を要し、本発明のように、第１指掛かり部の形状を、平面視において固定部に向かって凹状に湾曲させておくことが効果的である。
また、本発明の缶蓋は、上記缶蓋開口用のタブと、このタブが固定された缶蓋本体と、を備えたことを特徴とする。
【発明の効果】
【０００７】
本発明によれば、第１指掛かり部は、固定部に向かって凹状に湾曲しているので、初期
開口時の指掛かり性の向上、指への圧力、圧迫感の軽減、さらに、指掛け部への指先案内性の付与により、開口操作が楽にでき、加えて不意開口の防止を図ることができる。
【図面の簡単な説明】
【０００８】
【図１】図１は本発明の実施の形態に係る缶蓋を示すもので、（Ａ）は平面図、（Ｂ）は（Ａ）の第１中心線Ｎ１に沿う断面図である。
【図２】図２は図１の缶蓋のタブ周辺を拡大して示すもので、（Ａ）は拡大平面図、（Ｂ）は（Ａ）の第１中心線Ｎ１に沿う断面図、（Ｃ）は（Ｂ）をＣ方向から見た図である。
【図３】図３は図２のタブの第１指掛かり部近傍の斜視図である。
【図４】図４（Ａ）は図１の缶蓋開口用のタブの指掛け状態の説明図、（Ｂ）は(Ａ)の初期開口状態の説明図、（Ｃ）は指先の接触状態を示す平面図、（Ｄ）は従来のタブの指先の接触状態を示す平面図、（Ｅ）は（Ｄ）の指先の接触部分の断面図である。
【図５】図５（Ａ）は本発明の他の実施形態に係る缶蓋の部分平面図、（Ｂ）は（Ａ）の第１中心線Ｎ１に沿う断面図、（Ｃ）は缶蓋を積み重ねた状態の説明図、（Ｄ）は比較例のタブの部分平面図である。
【発明を実施するための形態】
【０００９】
以下に、本発明を図示の実施の形態に基づいて詳細に説明する。
まず、図１を参照して、本発明の実施形態に係る缶蓋の全体構成について説明する。図１（Ａ）は、缶蓋の全体構成を示す平面図、図１（Ｂ）は（Ａ）の第１中心線に沿う中央縦断面図である。
この缶蓋１は全面開口用の易開封性の缶蓋で、全面開口用のスコア６が形成された缶蓋本体２と、缶蓋本体２に固定部としてのリベット部７によって固定される缶蓋開口用のタブ１０と、を備えている。以下、図１（Ａ）の平面図において、パネル中心Ｏ１とリベット部７の中心Ｏ７を通る線を第１中心線Ｎ１、パネル中心Ｏ１を通り第１中心線Ｎ１と直交する線を第２中心線Ｎ２とする。
缶蓋本体２は、パネルを構成する円形のセンターパネル３、センターパネル３の周縁から立ち上がるチャックウォール４、及びチャックウォール４に連続して形成されたシーミングパネル５を有している。
センターパネル３は円板形状で、スコア６は、センターパネル３の周縁に全周に亘って連続的に設けられ、開封時には、スコア６に囲まれた円形の開口予定部３ａがタブ１０と共に除去される。リベット部７の近傍には、初期開口時にパネルの折れ曲がりを容易にする補助スコア８が設けられている。また、センターパネル３は、環状の段差部３３を介して、段差部３３とパネル周縁との間の第１パネル部３１と、第１パネル部３１より一段窪んだ中央領域の第２パネル部３２とを備えている。段差部３３は、センターパネル３の周縁と同心円状の優弧状の円弧部３３１と、円弧部３３１の両端を結ぶ直線部３３２とを有するＤ字形状となっている。この例では、直線部３３２は、第１中心線Ｎ１と直交する方向に延びている。また、第１パネル部３１には、第１中心線Ｎ１と第２中心線Ｎ２によって区分される４つの領域に、それぞれ上方に向かって突出するエンボス部３４が設けられている。エンボス部３４の高さは、缶蓋を重ねた際に、上位の缶蓋の底面を支持するもので、上位缶蓋の底面がタブと干渉しないように構成されている。
【００１０】
タブ１０は、第１中心線Ｎ１に対して線対称形状の卵形の輪郭を有する板状部材で、タブ本体１１が缶蓋本体２のセンターパネル３の第１パネル部３１に固定され、タブ本体１１の小径側の端部であるタブ先端部１２がスコア６近傍に配置されている。また、リベット部７に対してタブ先端部１２と反対側の大径側の端部である後端側に初期開口時に指を掛ける第１指掛かり部２０が設けられている。
リベット部７はタブ先端部１２に近く、センターパネル３の第１パネル部３１に位置し、第１指掛かり部２０の位置はセンターパネル３のパネル中心Ｏ１近くに配置され、段差
部３３の直線部３３２を超えて第２パネル部３２に面している。
タブ１０の外周縁には、図１（Ｂ）に示すように、タブ本体１１を構成する板材を裏面側に円弧状に折り返したカール部１７が、タブ先端部１２を除いて全周に亘って形成されている。タブ先端部１２は、第１中心線Ｎ１に沿った方向に谷形状に屈曲させて剛性が高められている。
また、第１指掛かり部２０が設けられるタブ１０の後端部は、両端部が円弧状のコーナー部１３ｃ，１３ｃを介してタブ１０の側辺部１６，１６につながる構成となっており、第１指掛かり部２０は、両端のコーナー部１３ｃ,１３ｃの間に形成されている。
また、タブ本体１１には、リベット部７と第１指掛かり部２０の間に指が挿入可能な指掛け穴１４が設けられ、また、指掛け穴１４の縁部にも、カール部１８がリング状に全周に亘って形成されており、指掛け穴１４の第１指掛かり部２０に対してリベット部７側の縁部が、初期開口後の第２指掛かり部３０となっている。この第２指掛かり部３０は、平面視において、反リベット部側に僅かに凸状に湾曲する構成となっているが、直線的に構成としてもよい。なお、指掛け穴１４の周縁部をリング１３とすると、リング部１３の後端部に第１指掛かり部２０が設けられることになる。
【００１１】
次に、図２を参照し、第１指掛かり部２０の形状について詳細に説明する。
図２（Ａ）は、図１のタブの部分拡大平面図、図２（Ｂ）は図２（Ａ）の第１中心線に沿った断面図、図２（Ｃ）は、図２（Ｂ）をＣ方向から見た側面図である。
すなわち、図２（Ａ）に示すように、第１指掛かり部２０を、センターパネル３に対してタブ本体１１側から直交方向に見た平面視において、リベット部７に向かって凹状に湾曲する湾曲形状となっている。図示例では、第１中心線Ｎ１上に位置する曲率中心(不図
示)を中心とする円弧形状となっている。
第１指掛かり部２０の断面形状は、図２（Ｂ）に示すように、カール部１７に沿って、天面側から裏面にかけて円弧状にＵターンする円弧断面であり、第１指掛かり部２０の平面視における輪郭線Ｌは、円弧断面がリベット部７と反対側に最も突出している突出端の形状である。第１指掛かり部２０は、タブ１０の後端の輪郭線Ｌを含む断面円弧状の領域を中心に、初期開口時にタブ１０を引き起こす際に指が当接する領域であり、第２パネル部３２と対向するパネル対向面２０ｃ側も含まれる。
第１中心線Ｎ１と直交方向の両端部２０ｂ，２０ｂはコーナー部１３ｃ、１３ｃに接続され、この両端部２０ｂ，２０ｂは、第１中心線Ｎ１と直交する直交線Ｖ１と接しており、中央部２０ａは直交線Ｖ１から、所定の窪み寸法ｈだけリベット部７側に入り込んでいる。
第１指掛かり部２０の端部２０ｂ，２０ｂ間の距離Ａは５〜１５ｍｍが好ましく、８〜１１ｍｍがより好ましい。第１指掛かり部２０の曲率半径Ｒは、６〜７４ｍｍ、中央部２０ａの端部２０ｂ，２０ｂに対する窪み寸法ｈは、０．２〜１．０ｍｍとすることが好ましく、０．４〜０．８ｍｍがより好ましい。なお曲率半径Ｒは距離Ａならびに窪み寸法ｈが上記の範囲を満たせば単一曲率でなくてもかまわない。例として複合Ｒあるいは台形形状であってもよい。
窪み寸法ｈが０．２ｍｍより小さい場合、フラットに近い形状となり、指への圧力、圧迫感が大きくなる。一方、窪み寸法ｈが１．０ｍｍを超えると、既存の設備で、従来のタブと同じ材料を用いて第１指掛かり部２０のみを一部変更して本形状に加工すると、カール部１７の形状が崩れ、安定した形状、寸法が得られなくなる。窪み寸法ｈを、０．２以上とすれば、指先の形状に近く湾曲させることができ、指への圧力、圧迫感を軽減でき、１．０ｍｍ以下することで、既存の設備で安定した寸法の湾曲形状を成形することができる。
【００１２】
次に、図２（Ｃ）を参照し、第１指掛かり部２０の側面形状について説明する。
この側面図は、第１指掛かり部２０を、センターパネル３の第１パネル部３１及び第２パネル部３２と平行方向であって、第１指掛かり部２０側からリベット部７の方向を見て
、第１指掛かり部２０の中央部２０ａがリベット部７の中心Ｏ７と重なる方向、すなわち、第１中心線Ｎ１に沿った方向から見た側面視の投影図である。この側面図において、第１指掛かり部２０は、センターパネル３に対して、中央部２０ａが両端部２０ｂ,２０ｂ
よりも高くなるように凸状に湾曲している。
この第１指掛かり部２０の凸形状を、上記平面視における輪郭線Ｌの形状として説明すると、この輪郭線Ｌは、側面視において、二点鎖線で示すように、第１指掛かり部２０のほぼ中央に現れており、この輪郭線Ｌの形状が、センターパネル３に対して凸状に湾曲している。この湾曲形状は、センターパネル３に対する傾斜角度（輪郭線の接線とセンターパネルとのなす角）が、両端部２０ｂ,２０ｂにおいて最も大きく、中央部２０ａに向け
て徐々に小さくなり、中央部２０ａにおいては、ほぼ水平となるように湾曲するアーチ形状となっている。
なお、第２指掛かり部３０についても、中央部が端部よりも若干高く、第２パネル部３２に対して凸条に湾曲している。第２指掛かり部３０の湾曲度合は第１指掛かり部２０よりも小さく、直線的に構成してもよい。
図３は、第１指掛かり部２０を概略的に示す斜視図である。
すなわち、第１中心線Ｎ１を通るセンターパネル３と直交する面を第１中心面Ｎ０とし、第１指掛かり部２０の両端部を結ぶ直交線Ｖ１を通るセンターパネル３と直交する面を直交面Ｖ０として、第１指掛かり部２０の輪郭線Ｌを立体的に示している。
図示するように、第１指かかり部２０は、輪郭線Ｌの中央部２０ａが、両端部２０ｂ，２０ｂと接する直交面Ｖ０に対して窪み寸法ｈだけリベット部７側に位置するように、リベット部７側に傾斜する傾斜アーチ形状となっている。
【００１３】
次に、第１指掛かり部２０のパネル対向面２０ｃについて説明する。
図２（Ｂ）に示すように、第１指掛かり部２０のセンターパネル３の第２パネル部３２と対向する対向面２０ｃは、第１指掛かり部２０からリベット部７に向けて、第２パネル部３２との隙間が徐々に狭くなる方向に傾斜する傾斜面となっている。この対向面２０ｃの第２パネル部３２との傾斜角度（図３の第１中心面Ｎ０に対して平行の面で切断した場合の傾斜角度）は、第１指掛かり部２０の両端部２０ｂ，２０ｂから徐々に大きくなり中央部２０ａにおいて最大となるように傾斜する構成となっている。この対向面の第1中心
面Ｎ０で切断した傾斜角度は、５−１０°となっている。
【００１４】
次に、本発明の作用について説明する。
缶蓋を開口する際には、図４（Ａ）に示すように、タブ１０の第１指掛かり部２０に指先を当てながら、タブ１０と第２パネル部３２との隙間に指先を入れ、リベット部７を支点として上方に引き起こすことにより、てこの作用によって、タブ先端部１２でスコア６を部分的に初期開口し、さらに、タブ１０を親指と人差し指で掴んで９０度程度まで引き起こす（図４（Ｂ）参照）。初期開口した後は、特に図示しないが、タブ１０の指掛け穴１４に指をしっかりと挿入し、第２指掛かり部３０に指を掛け、タブ１０を上方に持ち上げることによって、スコア６を初期開口部Ｂから連続的にせん断し、スコア６に囲まれた開口予定部を除去して全面開口する。
初期開口時において、第１指掛かり部２０から指先に大きな反力が作用するが、第１指掛かり部２０は、図４（Ｃ）に示すように、リベット部７に向かって凹状に湾曲し指先形状に沿って接触するので、接触部分Ｐ１の接触面積が増大し、指に作用する反力が分散されて、指先への圧力、圧迫感が低減し、指先のフィット感が良くなり、初期開口操作が楽にできる。
特に、第１指掛かり部２０は、中央部２０ａが第２パネル部３２に対して凸状に湾曲し、第１指掛かり部２０がアーチ形状となっており、第２パネル部３２との対向面２０ｃがリベット部７に向かって徐々に隙間が小さくなるような傾斜面となっているので、第１指掛かり部２０のパネル対向面２０ｃに指の腹面を当てることができ、初期開口時のタブ１０の引き起こしが、容易、確実、かつ、楽に行うことができる。
また、第１指掛かり部２０は、缶蓋を上下に積み上げた際、あるいは、缶を上下に積み上げた場合に、上位の缶蓋あるいは上位の缶の缶底の縁が、第１指掛かり部２０に当たっても、第２パネル部３２ｃとの隙間が最も大きくなる中央部２０ａは、リベット部７に向かって遠い位置となるため、中央部２０ａに引っ掛かりにくく、不意開口を防止できる。
図４（Ｄ）,（Ｅ）には、比較例として従来の第１指掛かり部２２０を備えたタブ２１
０を示している。
この比較例のタブ２１０は、図４（Ｅ）に示すように、第１指掛かり部２２０が、リベット部７側には凹状に湾曲した構成ではなく、リベット部７側に凸状に湾曲し、さらに、図４（Ｄ）に示すように、所定高さチップアップさせた構成である。この場合、図４（Ｄ）、（Ｅ）に示すように、第１指掛かり部２２０とパネルとの間に隙間があるものの、指先との接触部分Ｐ２の接触面積は小さく、タブ２１０が指に食い込んで圧力、圧迫感が高く、開口時に強い痛みを伴うこともある。
【００１５】
他の実施形態
図５には、本発明の他の実施形態を示している。以下の説明では、上記実施形態と異なる点についてのみ説明するものとし、同一の構成部分については同一の符号を付してその説明は省略するものとする。
すなわち、この実施形態では、図５（Ａ）,（Ｂ）に示すように、第２パネル部３２の
第１指掛かり部２０の近傍に、第１指掛かり部２０との隙間をさらに大きくするために、タブ下エンボス３５を設けた例である。このタブ下エンボス３５を設けると、第２パネル部３２の裏面には、タブ下エンボス３５に対応する下面凸部３５ａが突出することになる。
缶蓋１を上下に積み上げた場合、図５（Ｃ）に示すように、上下の缶蓋１，１のタブ１０,１０の周方向の位置が重なった場合に下面凸部３５ａが下位の缶蓋のタブのチップア
ップした第１指掛かり部２０と干渉しないように、タブ下エンボス３５のタブ側の端縁は、タブ１０の後端ぎりぎりの位置までとしている。
本願発明では、第１指掛かり部２０がリベット部７側に凹状に湾曲しているので、タブ下エンボス３５のタブ側の端部３５ｂをリベット部７側に寄せることができる。したがって、タブ下エンボス３５の反リベット部側の端部３５ｃ位置が決まっている場合には、タブ下エンボス３５の面積を大きくすることができ、指先がタブ下エンボス３５に入りやすくなり、開口操作がより容易となる。
図５（Ｄ）には、本願発明との比較例を示している。この比較例では、タブ１０´の第１指掛かり部２０´の形状が、反リベット部側に凸状に湾曲する形状で、図５（Ａ）に２点鎖線で示すように、タブ下エンボス３５´の面積が小さくなる。
なお、この例では、全面開口用のタブが除去片と共に除去される易開封タイプの缶蓋を例にとって説明しているが、飲料缶のように、タブが除去片と共に残るステイオンタイプの缶蓋にも適用可能である。このようなステイオンタイプの場合に、タブ下エンボスを拡大できることが有利となる。すなわち、ステイオンタイプの場合、特に図示しないが、通常は、缶蓋の中心側にリベット部があり、タブの後端は缶蓋の周縁のチャックウォール部に近く、タブ下エンボスを設けるスペースが制約されるため、本願発明のように第１指掛かり部をリベット部側に湾曲する形状とすることが有利である。
【００１６】
次に、本発明の缶蓋開口用のタブを用いた缶蓋の官能評価試験について説明する。
（タブの説明）
評価サンプルとしては、本発明のタブと従来形状のタブを用いて２種類の蓋を作製した。
本発明のタブは、図２に示した形状で、第１指掛かり部２０の端部２０ｂ，２０ｂ間の距離Ａを１０ｍｍ、窪み寸法ｈを０．４ｍｍ、曲率半径Ｒを２９．５ｍｍとした傾斜アーチ形状としたものである。
従来形状のタブは、図４（Ｄ），（Ｅ）に示したように、本発明の第１指掛かり部２０
の傾斜アーチ形状に対して、第１指掛かり部２２０がチップアップ形状となっている点以外は、同一の形状、寸法ものを用意した。すなわち、図４（Ｅ）に示すように、第１指掛かり部２２０が、リベット部７側には凹状に湾曲した構成ではなく、リベット部７側に凸状に湾曲し、さらに、図４（Ｄ）に示すように、所定高さチップアップさせた構成である。チップアップの高さは、本発明の第１指掛かり部２０の高さと同じである。
（評価試験用蓋の作製）
蓋外径７９．４ｍｍ（呼称：２１５径）のアルミニウム製フルオープニング蓋（全面開口型蓋）のタブとして、本発明のタブと従来のタブを用いて２種類の蓋を作製した。以下、本発明のタブを備えた蓋を「実施例」の蓋、従来形状タブを備えた蓋を「比較例」の蓋とする。
（開口評価用缶詰の作製）
溶接缶の片側に実施例の蓋又は比較例の蓋を巻締めた後、缶内に水を入れ、缶内真空度が、−３０ｋＰａとなるようにバキュームを引きながら、残りの片側にぶりき蓋を巻締めて開口評価用缶詰を作製した。
（試験の概要）
試験は、被験者２０名（２０歳〜４０歳台の男女各１０名）で開口評価用缶詰の開口動作を行い、下記ａ〜ｄの項目について、「実施例」の蓋と「比較例」の蓋を相対比較し、「実施例」の蓋の方がよい、「実施例」の蓋の方がややよい、変わらない、「比較例」の蓋の方がややよい、「比較例」の蓋の方がよい、の５段階で評価した。
なお、開口動作は被験者に一任、すなわち用いる指や指の当て方等の指定は行わず、被験者が日常行う方法で開口動作を行ってもらった。
（評価項目）
ａ．タブへの指の掛けやすさ：指を掛けやすいのはどちらの蓋か？
ｂ．指先の圧迫感、痛み：タブに指を掛けたとき、指先の圧迫感、痛みが少ないのはどちらの蓋か？
ｃ．指先案内性：指先がタブのセンター方向に誘導されやすいのはどちらの蓋か？
ｄ．総合評価：総合的に初期開口しやすいのはどちらの蓋か？
【００１７】
【表１】
2020142849.tif 000003
（結果）
表１にあるとおり、項目ａの指の掛けやすさについては、比較例の方がよいとしたのは４人に対して、実施例の方がよいとしたのは、「ややよい」を含めて１２人（６０％）であった。
また、項目ｂの指先への圧迫感、痛みの少なさについては、「ややよい」を含めて８人が実施例の方がよいと回答し、比較例がよいとしたのは２人であった。「変わらない」という回答が１０人と最も多かったが、指先の大きさ、形状の個人差が大きく、指先にフィットした被験者に効果が大きかったものと思量される。
項目ｃの指先案内性についても、項目ｂと同様の傾向であった。
項目ｄの総合評価については、指の掛かりやすさと同様の傾向であり、実施例の蓋の方がよいとしたのは、「ややよい」を含めて１３人（６５％）であった。
（統計的手法による検定）
前記官能評価は被験者毎に「実施例」の蓋と「比較例」の蓋を相対比較評価したものであり、その結果は、対応のある一対のデータとして取り扱い、ｔ検定によって各々の母集団平均に差があるかどうかを検定した。
具体的には、被験者毎に「実施例」の蓋の方がよい、「実施例」の蓋の方がややよい、変わらない、「比較例」の蓋の方がややよい、「比較例」の蓋の方がよい、の５段階の評価結果を各々２点、１点、０点、−１点、−２点と評点付けを行い、「実施例」の蓋ならびに「比較例」の蓋の評点の母集団平均に差があるかどうか、言い換えれば評点の母集団平均が等しい（評価結果の平均が０点）との帰無仮説を棄却することができるかどうか、ｔ検定（片側）を行った。その結果、危険率５％で、前記ａ〜ｄの評価項目すべてにおいて、「比較例」の蓋にくらべて「実施例」の蓋の方がよいとの結果であった。
【００１８】
なお、上記実施形態では、センターパネル３を、第１パネル部３１と、第１パネル部３１よりも低い第２パネル部３２を有する構成としたが、第２パネル部３２が無くてもよい。また、センターパネル３はエンボス部３４を有する構成となっているが、エンボス部３４についても無くてもよい。
また、第１指掛かり部２０について、中央部２０ａをアーチ状に高くしたチップアップ形状としているが、チップアップ形状となっていなくてもよい。この場合でも、指先の接触面積を従来よりも大きくすることができ、指先への圧力、圧迫感を低減することができる。また、チップアップ構成となっていなくても、隙間を確保するためには、上記したように、パネル面側の第１指掛かり部２０の近傍に、タブ下エンボス部を形成することにより、指が入る隙間を確保することができる。
また、チップアップ形状とする場合に、上記実施形態では、パネル面に対して側面視でアーチ形状に湾曲する構成としているが、アーチ形状に限らず、たとえば、台形状等、他の形状としてもよい。
さらに、チップアップ形状について、上記実施形態では、第１指掛かり部２０のパネル対向面２０ｃが、第２パネル面３２との間隔がリベット部７に向けて徐々に狭くなる方向に傾斜する傾斜面となっているが、傾斜面となっていなくてもよい。
また、上記実施形態では、全面開口用の易開封蓋のタブについて説明したが、部分開口用の易開封蓋のタブについても適用できることはもちろん、上記したように、飲料缶の缶蓋のように、開口後に、タブが缶蓋に開口片に残るステイオンタイプの缶蓋のタブについても適用可能である。また、缶蓋が適用される容器は、陽圧缶、陰圧缶に限らず、種々の容器に適用可能である。
【符号の説明】
【００１９】
１  缶蓋
２  缶蓋本体
３  センターパネル、３１  第１パネル面、３２  第２パネル面
３３１  円弧部、３３２  直線部、３ａ  開口予定部
４  チャックウォール、５  シーミングパネル、６  スコア
７  リベット部(固定部)
１０  タブ
１１  タブ本体、１２  タブ先端部、１３  リング部、１３ｃ  コーナー部
１４  開口部、１６  側辺部、１７  カール部、１８  カール部
２０  第１指掛かり部
２０ａ  中央部、２０ｂ  端部、２０ｃ  対向面
３０  第２指掛かり部
Ｎ１  第１中心線、Ｎ２  第２中心線
Ｏ１  パネル中心
Ｏ７  リベット部７の中心
Ａ  第１指掛かり部の両端部間の距離、
Ｒ  曲率半径（第１指掛かり部）
Ｖ１  直交線（端部位置）
Ｎ０  第１中心面、Ｖ０  直交面
ｈ  窪み寸法
Ｌ  輪郭線
【図１】
2020142849.tif 000004
【図２】
2020142849.tif 000005
【図３】
2020142849.tif 000006
【図４】
2020142849.tif 000007
【図５】
2020142849.tif 000008